(57)【要約】【課題】既存の防巣具に容易に取り付けられる追加取付用防巣具を提供すること。【解決手段】追加取付用防巣具１は、鳥類の障害となる防巣部１０と、既存の防巣具１００に取り付けられる固定部２０と、間接活線工具によって把持される把持部４０と、を備え、固定部２０は、軸方向の断面がＣ字形の円筒形状に形成される弾性変形可能な支持部材２２を備え、前記支持部材を弾性変形させて前記Ｃ字形の内周面を前記既存の防巣具の所定部位に適合させることによって、既存の防巣具１００に取り付けられる。【選択図】図１
2017108672.tif 000002
【特許請求の範囲】
【請求項１】
鳥類の障害となる防巣部と、
既存の防巣具に取り付けられる固定部と、
間接活線工具によって把持される把持部と、を備え、
前記固定部は、軸方向の断面がＣ字形の円筒形状に形成される弾性変形可能な支持部材を備え、前記支持部材を弾性変形させて前記Ｃ字形の内周面を前記既存の防巣具の所定部位に適合させることによって、前記既存の防巣具に取り付けられることを特徴とする追加取付用防巣具。
【請求項２】
一端部に前記防巣部が固定され、他端部に前記固定部が固定されるアーム部を更に備える請求項１に記載の追加取付用防巣具。
【発明の詳細な説明】
【技術分野】
【０００１】
本発明は、追加取付用防巣具に関する。
【背景技術】
【０００２】
従来、電柱設備にカラスのような鳥類が営巣すると、この巣が原因となって停電が発生する危険性がある。例えば、電柱の上に、鳥類が巣作りのために針金類を運んできた場合には、この針金が電線に接触して、短絡が発生するおそれがある。
【０００３】
そこで、従来、電柱に障害物等を取り付けることにより、鳥類が営巣できないようにすることが提案されている。例えば、特許文献１には、電柱の腕金に取り付けられる腕金取付具に複数の防巣具を固定可能にする、という技術が提案されている。
【０００４】
ところで、鳥類は、一度営巣した場所の近くに再度営巣することがあり得ることから、腕金に防巣具を取り付けたにもかかわらず、防巣具を避けて腕金に営巣される場合がある。
【先行技術文献】
【特許文献】
【０００５】
【特許文献１】特開２００７−１７４９６８号公報
【発明の概要】
【発明が解決しようとする課題】
【０００６】
この場合、腕金には既に防巣具が取り付けられているのに、営巣箇所に防巣具を新たに取り付けるか、あるいは既存の防巣具を営巣箇所に移動させる、といった措置をとることが考えられる。しかし、防巣具を新たに取り付けることは、例えば、作業員が直接高圧線に触れないようにするため腕金に架設された高圧線に防具を取り付けたり、新品の防巣具を購入したりする等、作業に時間及び費用がかかる。また、既存の防巣具を営巣箇所に移動させる場合も、腕金に架設された高圧線に防具を取り付けたり、腕金から防巣具を取り外して再度取り付けたりする必要がある。
【０００７】
本発明は、既存の防巣具に容易に取り付けられる追加取付用防巣具を提供することを目的とする。
【課題を解決するための手段】
【０００８】
本発明は、鳥類の障害となる防巣部と、既存の防巣具に取り付けられる固定部と、間接活線工具によって把持される把持部と、を備え、前記固定部は、軸方向の断面がＣ字形の円筒形状に形成される弾性変形可能な支持部材を備え、前記支持部材を弾性変形させて前記Ｃ字形の内周面を前記既存の防巣具の所定部位に適合させることによって、前記既存の防巣具に取り付けられることを特徴とする追加取付用防巣具に関する。
【０００９】
また、一端部に前記防巣部が固定され、他端部に前記固定部が固定されるアーム部を更に備えてもよい。
【発明の効果】
【００１０】
本発明の追加取付用防巣具によれば、既存の防巣具に容易に取り付けられる。
【図面の簡単な説明】
【００１１】
【図１】本発明の一実施形態における追加取付用防巣具の概略構成を示す説明図である。
【図２】上記実施形態における追加取付用防巣具を取り付ける場合に用いられる間接活線工具の一例を示す説明図である。
【発明を実施するための形態】
【００１２】
以下、本発明の実施形態について図面を参照しながら詳細に説明する。
【００１３】
図１は、本発明の一実施形態における追加取付用防巣具１の概略構成を示す説明図である。図１（ａ）は、追加取付用防巣具１の全体構成を示しており、図１（ｂ）は、防巣部１０を外して追加取付用防巣具１を、アーム部３０の軸方向から視認した構成を示しており、図１（ｃ）は図１（ｂ）を反対側から視認した構成を示している。追加取付用防巣具１は、防巣部１０と、固定部２０と、アーム部３０と、把持部４０と、を備えている。
【００１４】
防巣部１０は、棒状部材１２と、枝部材１４と、を備えていることにより、鳥類の障害となる。棒状部材１２は、円柱状の長尺部材であり、枝部材１４は、棒状部材１２の側面から、棒状部材１２の中心軸方向に対して斜め方向に棒状に延出している。本実施形態によれば、枝部材１４は、図１（ａ）に示すように、棒状部材１２における長手方向に並ぶ所定の３箇所からそれぞれ８本ずつ延出しており、棒状部材１２を鉛直方向に立てた場合に、棒状部材１２から斜め下方に延びている。
【００１５】
固定部２０は、腕金２００に固定される既存の防巣具１００に適合する支持部材２２と、支持部材２２に固定される矩形板２４と、を備えている。
【００１６】
ここで、既存の防巣具１００は、腕金２００に固定される固定金具１０２と、この固定金具１０２に固定される防巣部１０４と、を有する。防巣部１０４は、防巣部１０と同様に、棒状部材１０６と、枝部材１０８とを備えており、棒状部材１０６が固定金具１０２に立設され、棒状部材１０６から枝部材１０８が延びている。
【００１７】
支持部材２２は、軸方向の断面がＣ字形の円筒形状に形成される弾性変形可能な部材である。具体的には、円筒形状の一部に円筒形状の軸方向に沿って延びる隙間２２ａが形成されることで、軸方向の断面がＣ字形となる。また、支持部材２２は、板ばね性を有し、隙間２２ａが開閉するように弾性変形可能である。
【００１８】
支持部材２２の隙間２２ａは、通常時において防巣具１００の棒状部材１０６の直径よりも小さく設定されており、弾性変形によって防巣具１００の棒状部材１０６の直径よりも大きく広がるように設定されている。そのため、支持部材２２を弾性変形させてＣ字形の内周面を既存の防巣具１００に適合することが可能である。これにより、固定部２０は既存の防巣具１００に取り付けられる。
【００１９】
矩形板２４は、支持部材２２の外面における隙間２２ａの反対側の中央部に固定される。矩形板２４の横幅は、支持部材２２における長手方向に対して直角方向の幅よりも長く設定されている。本実施形態によれば、図１（ｂ）に示すように、矩形板２４の表面に溝が、長手方向に沿って形成されており、この溝は、間接活線工具により矩形板２４を把持した際の滑り止めとなる。
【００２０】
アーム部３０は、一端部に防巣部１０が取り付けられ、他端部に固定部２０が固定される長尺の棒状部材である。アーム部３０の一端部及び防巣部１０の棒状部材１２の下端部には、例えば、菊座３２が固定されており、この菊座３２を介して棒状部材１２は、アーム部３０に回動自在に支持される。アーム部３０の他端部は、矩形板２４の中央に固定されている。
【００２１】
把持部４０は、アーム部３０の長手方向における所定部位から下向きに板状に延在するものであり、この把持部４０は、間接活線工具７０によって把持される。本実施形態によれば、把持部４０の表面に溝が、下向きに形成されており、この溝は、間接活線工具により把持部４０を把持した際の滑り止めとなる。
【００２２】
なお、防巣部１０、固定部２０、アーム部３０及び把持部４０は、樹脂によって構成されている。
【００２３】
図２は、間接活線工具７０の一例を示す説明図である。間接活線工具７０は、長尺の操作棒７１と、把持工具７２とを備えている。把持工具７２は、操作棒７１の先端部に着脱自在に取り付けられている。また、間接活線工具７０は、把持工具７２を作動させるための作動棒７３を備えている。操作棒７１及び作動棒７３の中間部は、絶縁性を有するプラスチックパイプ等で連結されており、間接活線工法に好適なように、絶縁性が確保されている。
【００２４】
把持工具７２は、図２（ａ）に示すように、開閉する一対の湾曲した把持腕７ａ、７ｂと、を備えている。一方の把持腕７ａは、基端部が固定された固定腕であり、他方の把持腕７ｂは、一方の把持腕７ａの基端部に設けた回動軸７ｃを中心に回動する可動腕となっている。
【００２５】
作動棒７３は、操作棒７１に沿って保持されている。作動棒７３の先端部は、他方の把持腕７ｂに回動可能に連結している。そして、図２（ｂ）に示すように、作動棒７３の手元に設けた操作レバー７４を操作することにより、一方の把持腕７ａに対して、他方の把持腕７ｂを開閉することができる。なお、図２に示す間接活線工具７０は、絶縁ヤットコと称されている。
【００２６】
次に、追加取付用防巣具１を既設の防巣具１００に取り付ける作業について説明する。
【００２７】
まず、作業員は、既設の防巣具１００の近くに営巣された鳥の巣を腕金２００から撤去し、菊座３２を用いて棒状部材１２と、アーム部３０との角度を調整する。
【００２８】
続いて、作業員は、間接活線工具７０を操作して、追加取付用防巣具１の把持部４０を把持しながら、固定部２０を既設の防巣具１００に近づけ、防巣具１００の棒状部材１０６に支持部材２２の隙間２２ａを当てる。
【００２９】
続いて、作業員は、間接活線工具７０を操作して、棒状部材１０６に支持部材２２の隙間２２ａを当てて、矩形板２４を棒状部材１０６側に押し込む。すると、支持部材２２のＣ字形の内周面が防巣具１００の棒状部材１０６に適合し、防巣具１００に固定部２０が取り付けられる。
【００３０】
ここで、防巣具１００の棒状部材１０６に支持部材２２が適合しない場合には、別の作業員が、もう１本の間接活線工具７０を操作して、矩形板２４を防巣具１００の棒状部材１０６側に押し込むことにより、防巣具１００の棒状部材１０６に支持部材２２を適合させる。これにより、追加取付用防巣具１が既設の防巣具１００に取り付けられる。
【００３１】
以上説明したように構成された一実施形態の追加取付用防巣具１によれば、以下のような作用効果が奏される。
【００３２】
（１）支持部材２２は、軸方向の断面がＣ字形の円筒形状に形成される弾性変形可能な部材である。この支持部材２２を弾性変形させてＣ字形の内周面を既存の防巣具１００の棒状部材１０６に適合させることによって、固定部２０は既存の防巣具１００に取り付けられる。これにより、既存の防巣具１００に容易に取り付けられる。
また、追加取付用防巣具１は、間接活線工具７０によって把持される把持部４０を備える。そのため、作業員は、既設の防巣具１００に対して追加取付用防巣具１を、間接活線工具７０を用いて容易に取り付けられる。また、作業員が直接高圧線に触れないようにするために腕金２００に架設された高圧線に防具を取り付ける必要がなくなる。これにより、鳥類が営巣した場所に防巣部１０を配置する際の作業性をより向上させられる。
【００３３】
（２）追加取付用防巣具１は、一端部に防巣部１０が固定され、他端部に固定部２０が固定されるアーム部３０を備えて構成される。そのため、作業員は、既存の防巣具１００から離れた位置に対しても追加取付用防巣具１を取り付けられる。これにより、鳥類が営巣した場所に防巣部１０を配置する際の作業性をより向上させられる。
【００３４】
なお、本発明の実施形態については、上述した実施形態に限るものではない。例えば、上述した実施形態においては、把持部４０をアーム部３０に形成したが、固定部２０、特に矩形板２４の一部を延出させて形成してもよい。
【００３５】
また、アーム部３０は、入子式に伸縮自在に構成してもよい。これにより、営巣された鳥の巣の位置に合わせてアーム部３０の長さを調整し、追加取付用防巣具１を取り付けられる。
【００３６】
また、既存の防巣具１００に対して追加取付用防巣具１は取り付けられるが、これに限定されるものでもない。例えば、既存の防巣具１００に取り付けられた追加取付用防巣具１に更に追加取付用防巣具１を取り付けてもよい。
【００３７】
また、アーム部３０の一端部に菊座３２が固定されるが、これに限定されるものでもない。菊座３２は、アーム部３０の一端部と、他端部とにそれぞれ固定されてもよい。この場合、防巣部１０と、固定部２０との角度調整がより容易に行われる。
【符号の説明】
【００３８】
１  追加取付用防巣具
１０  防巣部
２０  固定部
２２  支持部材
４０  把持部
１００  既存の防巣具
【図１】
2017108672.tif 000003
【図２】
2017108672.tif 000004